(57)【要約】【課題】測定対象者を誤ることなく、携帯端末の特性を活かしたタイプの健康測定を可能とした携帯端末の提供。【解決手段】携帯電話装置１００は、生体情報により測定対象者を特定する個人認証機能と、前記個人認証機能により測定対象者を特定できた場合に自動的に起動され、脈拍、血圧、体温のうちいずれか選択設定された項目の測定を行う健康測定機能と、を備える。携帯電話装置１００の制御部は、決定キー１４ａが操作されると、決定キー１４ａ部分に内蔵された赤外線カメラにより、手指の静脈パターンを検出し個人認証を行う。前記個人認証に成功すると、携帯電話装置１００の制御部は、決定キー１４ａ部分に内蔵されたセンサにより、指定されたアプリケーションの利用中における脈拍、血圧、体温の計測を開始する。前記計測の結果、閾値以上の値が検出された場合には、携帯電話装置１００は、所定の警告動作等を実行する。【選択図】図２
2007325842.tif 000002
【特許請求の範囲】
【請求項１】
生体情報により測定対象者を特定する個人認証部と、前記個人認証部による認証が成功した場合に自動的に起動され、脈拍、血圧、体温のうちいずれか選択設定された項目を測定する健康測定部と、を備えたこと、
を特徴とする携帯端末。
【請求項２】
前記個人認証部が、携帯端末の所定のキーの押下により起動されること、
を特徴とする請求項１に記載の携帯端末。
【請求項３】
前記所定のキーは、携帯端末のポインティングデバイスの決定キーであり、
前記決定キーの表面に設置された生体情報センサにより、予め登録した測定対象者の生体情報パターンとの照合により個人認証を行うこと、
を特徴とする請求項２に記載の携帯端末。
【請求項４】
前記所定のキーは、携帯端末のポインティングデバイスの決定キーであり、
前記決定キーの表面には、前記脈拍、血圧、体温のうちいずれかを測定するセンサが配設されていること、
を特徴とする請求項２又は３に記載の携帯端末。
【請求項５】
携帯端末に搭載されたアプリケーション毎に、前記健康測定部の動作可否を設定可能であり、
前記個人認証部により測定対象者を特定でき、かつ、前記動作設定されたアプリケーションを利用中に、前記健康測定部による測定を開始すること、
を特徴とする請求項１乃至４いずれか一に記載の携帯端末。
【請求項６】
前記脈拍、血圧、体温のいずれかが所定のしきい値を超過した場合には、所定の警告動作を行うこと、
を特徴とする請求項１乃至５いずれか一に記載の携帯端末。
【請求項７】
前記脈拍、血圧、体温のいずれかが所定のしきい値を超過した場合には、利用中のアプリケーションの終了予告動作を行うとともに、利用中のアプリケーションを強制終了すること、
を特徴とする請求項１乃至６いずれか一に記載の携帯端末。
【請求項８】
ＧＰＳ部を備え、前記ＧＰＳ部により得られた位置情報と、前記健康測定部により測定したデータとを関連付けて保存する機能を備えたこと、
を特徴とする請求項１乃至７いずれか一に記載の携帯端末。
【請求項９】
カメラ部を備え、前記カメラ部により得られたユーザの顔画像と、前記健康測定部により測定したデータとを関連付けて保存する機能を備えたこと、
を特徴とする請求項１乃至８いずれか一に記載の携帯端末。
【請求項１０】
更に、所定の送信先に前記健康測定したデータを所定の宛先に送信する送信機能を備えたこと、
を特徴とする請求項１乃至９いずれか一に記載の携帯端末。
【請求項１１】
請求項１０に記載の携帯端末と、前記携帯端末から健康測定したデータを受信し、測定対象者毎に管理するサーバと、からなる健康管理システム。
【発明の詳細な説明】
【技術分野】
【０００１】
本発明は、体温、血圧、脈拍等を測定する健康管理機能を備えた携帯端末に関する。
【背景技術】
【０００２】
近年、携帯電話機に代表される携帯端末にカメラ、ＧＰＳ等の様々な便利な機能が付加されている。また、手指等から体温、脈拍、血圧等を測定できるセンサも開発されておりこれらセンサにより体温、脈拍、血圧等の測定機能を備えた携帯端末も提案されている。例えば、特開２００６−２６２１０号公報には、脈波の時間差から血圧を測定する血圧測定手段と、身体の複数箇所のインピーダンス値と予め登録された身体データから体脂肪率を演算する体脂肪率演算手段と、を備えた携帯電話機やマウスが開示されている。
【０００３】
また上記健康管理機能に関連し、特開２００５−３４５４７号公報や特開２００４―４１７４９号公報には、測定したデータをネットワーク経由で健康管理のデータベースへ送信できるシステムが提案されている。
【０００４】
また、２００５年４月から施行された個人情報保護法に基づき個人の情報のセキュリティ強化が要求されている。従来の携帯電話は暗証番号による照合のみであったが、最近では指紋認証の他に生体認証である顔や声紋、瞳の虹彩、静脈パターンによる認証方式が提案されている。例えば、特開２００６−１１７１１号公報に、静脈パターンによる認証機能を備えた携帯電話装置が開示されている。
【０００５】
【特許文献１】特開２００６−２６２１０号公報
【特許文献２】特開２００５−３４５４７号公報
【特許文献３】特開２００４―４１７４９号公報
【特許文献４】特開２００６−１１７１１号公報
【発明の開示】
【発明が解決しようとする課題】
【０００６】
成人病や生活習慣病の予防には、日々の健康測定が効果的であるとされている。特許文献１にも記載されているとおり、日常携帯する携帯端末で日々の健康測定を行うことが可能となれば、場所や時間に捉われずに健康測定を行うことが可能である。
【０００７】
しかしながら、上記した特許文献１〜３に記載の機器では、測定対象者を特定する機能が付加されておらず、同一人について継続的に記録・監視されるべき健康管理データに他人のデータが混じってしまう可能性がある。また、高血圧と低血圧の人がいるように、各個人の健常値にはそれぞればらつきがあるため、測定対象者の特定がなくては、体調異常の通報も的確になし得ないという問題点がある。
【０００８】
また、上記した特許文献１〜３に記載の機器に搭載された健康管理機能にて健康測定を開始するためには、キー操作や手指の配置等が必要であり、携帯端末を所持する者が意図しなければ健康測定ができないという問題点もある。
【０００９】
本発明は、上記した事情に鑑みてなされたものであって、その目的とするところは、測定対象者を誤ることなく日々の健康測定を行うことができる携帯端末を提供することにある。
【課題を解決するための手段】
【００１０】
本発明の第１の視点によれば、生体情報により測定対象者を特定する個人認証部と、前記個人認証部による認証が成功した場合に自動的に起動され、脈拍、血圧、体温のうちいずれか選択設定された項目を測定する健康測定部と、を備えたこと、を特徴とする携帯端末及び該携帯端末を利用した健康管理システムが提供される。
【００１１】
前記本発明の目的からすれば、前記個人認証部は、携帯端末ユーザの使用頻度の高い任意のキーの押下により起動される構成を望ましく採用することができる。
【発明の効果】
【００１２】
本発明によれば、日常的な操作の中で、測定対象者を特定した上での確実な健康測定が可能となる。
【発明を実施するための最良の形態】
【００１３】
続いて、本発明を実施するための最良の形態について図面を参照して詳細に説明する。図１は、本発明の第１の実施形態に係る携帯電話装置の構成を表したブロック図である。
【００１４】
図１を参照すると、本実施形態に係る携帯電話装置は、アンテナ１１を介して携帯電話網の基地局より送信される情報を受信する無線部１０と、液晶表示装置等で構成された表示部１２と、番号ボタンや後記するポインティングデバイス等により構成された操作部１４と、測定対象者の認証情報や健康測定データを記憶保持するメモリ部１６と、スピーカ部２０と、カメラ部２２と、ＧＰＳ部２４と、これらを制御する制御部１８と、を含んで構成されている。
【００１５】
また、本実施形態に係る携帯電話装置は、操作部１４のポインティングデバイスの決定キー（図２の１４ａ参照）の位置に温度センサ及び脈波センサ（血圧測定用のもう一方の脈波センサは番号ボタン等適宜の位置に配置される）を有しており、これらのセンサから入力される体温、脈拍情報に基づいて、体温を測定する体温測定部３０と、血圧を測定する血圧測定部３２と、脈拍を測定する脈拍測定部３４と、測定可能な状態であるか（決定キーの上に指が置かれているか）否か検知する生体検知部３６とを備えている。
【００１６】
また、本実施形態に係る携帯電話装置は、生体情報による個人認証部として、上記決定キーの位置に静脈センサ（赤外線ＬＥＤ及び赤外線ＣＣＤカメラ）を有しており、前記静脈センサから入力される手指の静脈パターンと、メモリ部１６に格納された静脈パターンとを照合し、測定対象者の認証を行う静脈認証部３８を備えている。
【００１７】
なお、上記カメラ部２２及びＧＰＳ部２４は、測定した脈拍、血圧、体温等の測定データとともに、測定対象者の顔画像や位置情報を記録する機能のために備えられているものである。特に、後者の位置情報は、測定が行われた場所及び状況を表しており、測定データの判断する際の貴重な資料となる。
【００１８】
もちろん、上記カメラ部２２及びＧＰＳ部２４を、個人認証のために用いることとしても良い。例えば、ユーザの顔画像による認証を行ったり、所定の位置（オフィスや家庭内）に所在することを条件に健康測定を許可するようにすることもできる。
【００１９】
図２は、本実施形態に係る携帯電話装置における上記決定キーの配置レイアウトの一例を表した外観図である。図２を参照すると、携帯電話装置１００は、決定キーを中心部に持つタイプのポインティングデバイスを備えている。この場合、当該決定キー１４ａの表面及びその裏側に、上記健康測定系及び認証用センサが配置される。このような配置によれば、利用者が携帯電話装置を利用しようとして決定キーを押下する度に、測定対象者の認証を行い、そのまま健康測定を行うことが可能となる。
【００２０】
図３、図４は、本実施形態に係る携帯電話装置の健康測定機能の設定可能項目とその内容を表した図である。まず、図３の画面Ａ「健康測定メニュー」は、携帯電話装置のメニュー選択画面から、「健康測定」を選択した直後に表される画面である。
【００２１】
図３の画面Ａ「健康測定メニュー」を参照すると、「測定項目選択」〜「測定データ送信」の８つの設定項目が表示されている。これら各設定項目にカーソルを合せた上で決定キーを押下すると、それぞれ右の画面に遷移するようになっている。以下、これらの設定可能項目について、順に説明する。
【００２２】
［測定項目選択］
図３の画面Ａ−１の「測定項目選択」画面は、体温、脈拍、血圧といった測定項目を選択する画面であり、例えば、１番上の「体温」を選択して、決定キーを押下することで、右側の画面Ａ−１−１の「体温ＯＮ／ＯＦＦ選択」画面が表される。ここで、例えば、「ＯＮ」を選択して、決定キーを押下することで、体温が測定項目にセットされる。
【００２３】
［操作中測定設定］
図３の画面Ａ−２の「操作中測定設定」画面は、本発明の特徴である「操作中測定」を行うアプリケーションを設定するための画面であり、例えば、１番上の「待受」を選択して、決定キーを押下することで、右側の画面Ａ−２−１の「待受ＯＮ／ＯＦＦ選択」画面が表される。ここで、例えば、「ＯＮ」を選択して、決定キーを押下することで、待受アプリケーションが「操作中測定」の対象にセットされる。
【００２４】
［警告閾値設定］
図３の画面Ａ−３の「警告閾値設定」画面は、体温、脈拍、血圧といった測定項目による警告動作のトリガとする警告閾値を選択する画面であり、例えば、１番上の「体温」を選択して、決定キーを押下することで、右側の画面Ａ−３−１の「体温設定」画面が表される。ここで、例えば、３７℃と入力して、決定キーを押下することで、体温が３７℃以上となった場合に警告動作を行うようセットされる。
【００２５】
［中断閾値設定］
図３の画面Ａ−４の「中断閾値設定」画面は、体温、脈拍、血圧といった測定項目による機器操作中断動作のトリガとする中断閾値を選択する画面であり、例えば、１番上の「体温」を選択して、決定キーを押下することで、右側の画面Ａ−３−１の「体温設定」画面が表される。ここで、例えば、３９℃と入力して、決定キーを押下することで、体温が３９℃以上となった場合に、携帯電話装置の利用の中断動作（アプリケーション等の強制終了）を行うようセットされる。
【００２６】
［測定間隔設定］
図４の画面Ａ−５の「測定間隔設定」画面は、上記画面Ａ−２の「操作中測定設定」画面で設定した「操作中測定」の対象となったアプリケーションを連続使用中に、測定を行う時間間隔を設定する画面である。ここで、例えば、０５（分）と入力して、決定キーを押下することで、５分おきに測定を行うようセットされる。
【００２７】
［位置情報測定］
図４の画面Ａ−６の「位置情報測定」画面は、測定したデータとともに、位置情報の記録を行うか否かを設定する画面である。ここで、例えば、「ＯＮ」を選択して、決定キーを押下することで、測定動作時の位置情報の記録機能が有効化される。
【００２８】
［カメラ撮影設定］
図４の画面Ａ−７の「カメラ撮影設定」画面は、測定したデータとともに、測定対象者の顔画像の記録を行うか否かを設定する画面である。ここで、例えば、「ＯＮ」を選択して、決定キーを押下することで、測定動作時の顔画像の記録機能が有効化される。
【００２９】
［測定データ送信設定］
図４の画面Ａ−８の「測定データ送信設定」画面は、測定したデータを所定の宛先に送信するか否かを設定する画面であり、例えば、「ＯＮ」を選択して、決定キーを押下することで、測定データの送信機能が有効化され、右側の画面Ａ−８−１の「データ送信先設定」画面が表される。ここで、例えば、健康管理サービスを提供する業者の運営するサーバのＵＲＬや利用者ＩＤ、パスワードをセットすることが可能である。
【００３０】
上記設定を行った後で、利用者の健康状態に適った態様で健康測定機能を動作させることが可能となる。以下、本実施形態に係る携帯電話装置の動作について図面を参照して詳細に説明する。
【００３１】
図５は、本実施形態に係る携帯電話装置において所定時間毎に実行される動作を表したフローチャートである。図５を参照すると、まず、決定キー１４ａが操作されると、携帯電話装置の制御部１８は、生体検知部３６を起動（ＯＮ）する（ステップＳ１０１）。
【００３２】
続いて、携帯電話装置の制御部１８は、上記図４の画面Ａ−５「測定間隔設定」で設定した値でセットしたタイマをスタートさせる（ステップＳ１０２）。
【００３３】
そして、前記画面Ａ−５「測定間隔設定」で設定した時間が経過した場合（タイマアップ；ステップＳ１０３のＹＥＳ）、携帯電話装置の制御部１８は、生体検知部３６より、決定キー１４ａ上に手指が置かれており測定可能な状態であるか否かを判定の結果を受け取る（ステップＳ１０４）。
【００３４】
ここで、測定可能な状態であるとの判定結果が得られなかった場合は、携帯電話装置の制御部１８は、生体検知部３６をＯＦＦにし終了する（ステップＳ１１１）。
【００３５】
一方、測定可能な状態であるとの判定結果（「指検出」）が得られた場合は、携帯電話装置の制御部１８は、現在操作しているアプリケーションが、上記図３の画面Ａ−２の「操作中測定設定」で有効化（ＯＮ）されたアプリケーションであるか否かを判定する（ステップＳ１０５）。
【００３６】
ここで、上記図３の画面Ａ−２の「操作中測定設定」で有効化（ＯＮ）されたアプリケーションを使用中である場合（ステップＳ１０５のＹＥＳ）、携帯電話装置の制御部１８は、静脈認証部３８を起動して、静脈認証処理を行う（ステップＳ１０６）。
【００３７】
静脈認証部３８は、その内蔵赤外線ＣＣＤカメラより指の静脈パターンを検出し、予めメモリ部１６に登録してある静脈パターンと比較し、入力された指の静脈パターンが予め登録された測定対象者のものであるか否かを判定する（ステップＳ１０７）。
【００３８】
上記静脈認証の結果、入力された指の静脈パターンが予め登録された測定対象者のものであることを確認できなった場合には（ステップＳ１０７のＮＯ）、携帯電話装置の制御部１８は、生体検知部３６をＯＦＦにし終了する（ステップＳ１１１）。
【００３９】
一方、入力された指の静脈パターンが予め登録された測定対象者のものであることを確認できた場合は（「認証ＯＫ」；ステップＳ１０７のＹＥＳ）、携帯電話装置の制御部１８は、健康測定処理を開始する（ステップＳ１０８）。
【００４０】
図６は、図５中の「健康測定開始」処理の詳細を表したフローチャートである。健康測定は、図３の画面Ａ−１の「測定項目選択」画面で設定した内容に従って行われる。
【００４１】
まず、携帯電話装置の制御部１８は、体温が測定項目としてＯＮになっているか否かを判定し（ステップＳ２０１）、ＯＮになっている場合に、体温測定部３０を起動して体温測定を実行する（ステップＳ２０２）。
【００４２】
次に、携帯電話装置の制御部１８は、脈拍が測定項目としてＯＮになっているか否かを判定し（ステップＳ２０３）、ＯＮになっている場合に、脈拍測定部３４を起動して脈拍測定を実行する（ステップＳ２０４）。
【００４３】
更に、携帯電話装置の制御部１８は、血圧が測定項目としてＯＮになっているか否かを判定し（ステップＳ２０５）、ＯＮになっている場合に、血圧測定部３２を起動して血圧測定を実行する（ステップＳ２０６）。
【００４４】
なお、上記ステップＳ２０１〜Ｓ２０６の健康測定の一連の処理が行われている間も、携帯電話装置の制御部１８は、健康測定が終了したか否かの判定（ステップＳ１０９）と、決定キー１４ａ上に手指が置かれており測定可能な状態であるか否かの判定が並列して行われるものとする。
【００４５】
例えば、決定キー１４ａ上に手指が置かれておらず測定可能な状態でなくなった場合は、健康測定が終了していない場合であっても、携帯電話装置の制御部１８は、生体検知部３６をＯＦＦにし終了する（ステップＳ１１１）。
【００４６】
一方、無事健康測定が終了した場合は（ステップＳ１０９のＹＥＳ）、携帯電話装置の制御部１８は、健康測定データの保存処理を実行する（ステップＳ１１２）。測定データの保存は、図４の画面Ａ−６、Ａ−７の「位置情報測定」画面、「カメラ撮影設定」画面で設定した内容に従って、これら位置情報や顔画像の取得・保存とともに行われる。
【００４７】
図７は、図５中の「測定データ保存」処理の詳細を表したフローチャートである。図７を参照すると、携帯電話装置の制御部１８は、まず、測定した健康測定データをメモリ部１６に保存する（ステップＳ３０１）。
【００４８】
次に、携帯電話装置の制御部１８は、位置情報測定機能がＯＮになっているか否かを判定し（ステップＳ３０２）、ＯＮになっている場合に、ＧＰＳ部２４を介して位置情報を測定し（ステップＳ３０３）、測定した位置情報データをメモリ部１６に、前記した健康測定データと関連付けて保存する（ステップＳ３０４）。
【００４９】
更に、携帯電話装置の制御部１８は、カメラ撮影機能がＯＮになっているか否かを判定し（ステップＳ３０５）、ＯＮになっている場合に、カメラ部２２を介して写真撮影し（ステップＳ３０６）、撮影した画像データをメモリ部１６に、前記した健康測定データと関連付けて保存する（ステップＳ３０７）。
【００５０】
再度、図５の説明に戻ると、携帯電話装置の制御部１８は、上記測定データの保存が終了すると、図４の画面Ａ−８の「測定データ送信設定」画面にて、測定データの送信機能がＯＮになっているか否かを確認し（ステップＳ１１３のＹＥＳ）、測定データの送信機能がＯＮになっている場合は、前記した測定データ（位置情報、顔画像も含む）を、設定されたアドレスに送信する（ステップＳ１１４）。
【００５１】
続いて、携帯電話装置の制御部１８は、測定データの各項目が、図３の画面Ａ−３の「警告閾値設定」画面で設定した警告閾値以上であるか否かを判定する（ステップＳ１１５）。
【００５２】
ここで、測定データのいずれかの測定項目のデータが上記警告閾値以上である場合は、携帯電話装置の制御部１８は、更に、測定データの各項目が、図３の画面Ａ−４の「中断閾値設定」画面で設定した中断閾値以上であるか否かを判定する（ステップＳ１１６）。
【００５３】
ここで、測定データのいずれかの測定項目のデータが上記中断閾値以上である場合は、携帯電話装置の制御部１８は、表示部１２にアプリケーション利用の中断予告表示を行うとともにスピーカ部２０で中断予告鳴動を行った後（ステップＳ１１７）、現在のアプリケーションを強制終了する（ステップＳ１１８）。
【００５４】
一方、ステップＳ１１６で、測定データの各項目が上記中断閾値未満であった場合は、携帯電話装置の制御部１８は、表示部１２に警告表示を行うとともにスピーカ部２０で警告鳴動を行う（ステップＳ１１９）。
【００５５】
上記中断予告表示、警告表示の内容は、各閾値を超えている項目やその値等を表示し、測定対象者に注意を喚起する内容であればよく、また必要に応じて、測定データの送信等を促すようにしてもよい。
【００５６】
以上、携帯電話装置に具現した本発明の好適な形態を説明したが、認証機能と、健康測定機能と、を備えた携帯端末において、前記認証機能により測定対象者を特定できた場合に前記健康測定機能を自動起動する構成とし、携帯端末の日常的な使用の中で健康測定が行えるようにするという本発明の要旨を逸脱しない範囲で、各種の変形を加えることが可能であることはいうまでもない。
【００５７】
例えば、上記した実施形態では、認証機能として、手指の静脈パターンによる認証機能を備えた例を挙げて説明したが、指紋、顔や声紋、瞳の虹彩等のその他の生体認証（バイオメトリクス）方式を採用することも可能であり、その場合において、携帯端末に装備されたカメラやスキャナを用いることが可能であることはいうまでもない。
【００５８】
また、上記した実施形態では、体温、脈拍、血圧の３項目を測定・監視項目としているが、特許文献１のように体脂肪率等を測定・監視項目に加えることとしてもよい。
【００５９】
また、上記した実施形態では、警告閾値と、警告閾値より大きい中断閾値の２つを設定可能であるものと説明したが、警告閾値と中断閾値のいずれか一方のみによる健康状態の監視も可能である。また、例えば、２つ以上の項目が警告閾値以上となった場合に、より警告効果の大きい動作（例えば、上記「中断動作」）を行うようにすることが考えられる。
【００６０】
同様に、２つ以上の項目が中断閾値以上となった場合に、より警告効果の大きい動作（例えば、所定の健康管理サービスを提供する業者の運営するサーバへの通報）を行うようにすること等が考えられる。
【図面の簡単な説明】
【００６１】
【図１】本発明の第１の実施形態に係る携帯電話装置の構成を表したブロック図である。
【図２】本発明の第１の実施形態に係る携帯電話装置における上記決定キーの配置レイアウトの一例を表した外観図である。
【図３】本発明の第１の実施形態に係る携帯電話装置の健康測定機能の設定可能項目とその内容を表した図である。
【図４】本発明の第１の実施形態に係る携帯電話装置の健康測定機能の設定可能項目とその内容を表した図である。
【図５】本発明の第１の実施形態に係る携帯電話装置の動作を説明するためのフローチャートである。
【図６】本発明の第１の実施形態に係る携帯電話装置の動作を説明するためのフローチャートである。
【図７】本発明の第１の実施形態に係る携帯電話装置の動作を説明するためのフローチャートである。
【符号の説明】
【００６２】
１０  無線部
１１  アンテナ
１２  表示部
１４  操作部
１４ａ  決定キー
１６  メモリ部
１８  制御部
２０  スピーカ部
２２  カメラ部
２４  ＧＰＳ部
３０  体温測定部
３２  血圧測定部
３４  脈拍測定部
３６  生体検知部
３８  静脈認証部
１００  携帯電話装置
【図１】
2007325842.tif 000003
【図２】
2007325842.tif 000004
【図３】
2007325842.tif 000005
【図４】
2007325842.tif 000006
【図５】
2007325842.tif 000007
【図６】
2007325842.tif 000008
【図７】
2007325842.tif 000009